(57)【要約】【課題】ＣＳＧセル及び／又はＨｙｂｒｉｄセルにその役割を十分に発揮させ、マクロセルの負荷を低減し、また、ユーザの利益を十分に保護することができるセル測定の開始方法を提供すること。【解決手段】本発明はセル測定の開始方法及び装置を開示した。当該方法は、限定加入者グループ（ＣＳＧ）セル及び／又はハイブリッド（Ｈｙｂｒｉｄ）セルの測定を開始する開始条件を予め設定し、開始条件を満たす場合に、ユーザ装置（ＵＥ）がＣＳＧセル及び／又はＨｙｂｒｉｄセルの測定を開始する。ここで、ＵＥは、自身のフットプリントエリア又はフィンガープリントエリアに近づく場合に、ＣＳＧセル及び／又はＨｙｂｒｉｄセルの測定を自動的に開始する。本発明によれば、サービングセルの信号が十分であるとしても、ＵＥは、ＣＳＧセル又はＨｙｂｒｉｄセルの測定を開始することができ、ＣＳＧセル又はＨｙｂｒｉｄセルにハンドオーバーすることができる。これにより、マクロセルの負荷が低減される。【選択図】図１
2013502763.tif 000002
【特許請求の範囲】
【請求項１】
セル測定の開始方法であって、当該方法は、
限定加入者グループ（ＣＳＧ）セル及び／又はハイブリッド（Ｈｙｂｒｉｄ）セルの測定を開始する開始条件を予め設定し、
開始条件を満たす場合に、ユーザ装置（ＵＥ）がＣＳＧセル及び／又はＨｙｂｒｉｄセルの測定を開始する
ことを特徴とするセル測定の開始方法。
【請求項２】
前記開始条件は、
予め設定された参照信号受信パワー（ＲＳＲＰ）値  ｓ−Ｍｅａｓｕｒｅ１であり、
前記開始条件を満たすことは、
レイヤ３でフィルタされたサービングセルのＲＳＲＰ値であるサービングＲＳＲＰが、ｓ−Ｍｅａｓｕｒｅ１より低いことであり、
又は、前記開始条件を満たすことは、
前記ＵＥがネットワーク側からの通知を受信したことである
ことを特徴とする請求項１に記載の方法。
【請求項３】
前記開始条件が、予め設定された参照信号受信パワーＲＳＲＰ値  ｓ−Ｍｅａｓｕｒｅ及びｓ−Ｍｅａｓｕｒｅ１である場合に、当該方法は、
前記サービングＲＳＲＰがｓ−Ｍｅａｓｕｒｅより低い場合に、ＵＥがすべての測定タスクの測定を実行し、測定オブジェクトは、測定タスクにおける指定搬送波周波数のすべてのセルを含み、
前記サービングＲＳＲＰがｓ−Ｍｅａｓｕｒｅ１より高い場合に、ＵＥがすべての測定タスクの測定を実行しない
ことを特徴とする請求項２に記載の方法。
【請求項４】
前記ｓ−Ｍｅａｓｕｒｅ１は、ネットワーク側から測定制御メッセージを介してＵＥに通知され、又は既定値として設定される
ことを特徴とする請求項３に記載の方法。
【請求項５】
前記ｓ−Ｍｅａｓｕｒｅ１が既定値として設定される場合に、前記既定値は、無限値又はサービングＲＳＲＰである
ことを特徴とする請求項４に記載の方法。
【請求項６】
前記ｓ−Ｍｅａｓｕｒｅ１は、すべての搬送波周波数に対して設定され、又は、
ｓ−Ｍｅａｓｕｒｅ１は、各搬送波周波数に対してそれぞれ設定され、又は、
ｓ−Ｍｅａｓｕｒｅ１は、複数の搬送波周波数に対して設定される
ことを特徴とする請求項４に記載の方法。
【請求項７】
前記ｓ−Ｍｅａｓｕｒｅ１は、更に、１つの搬送波周波数、複数の搬送波周波数又はすべての搬送波周波数におけるＣＳＧセル及び／又はＨｙｂｒｉｄセルに対して設定され、又は、
前記ｓ−Ｍｅａｓｕｒｅ１は、更に、１つの搬送波周波数又は複数の搬送波周波数におけるすべてのセルに対して設定される
ことを特徴とする請求項６に記載の方法。
【請求項８】
開始条件を満たすことは、前記ＵＥが自身のフットプリントエリア又はフィンガープリントエリアに近づき、ＣＳＧセル及び／又はＨｙｂｒｉｄセルの測定を自動的に開始することである
ことを特徴とする請求項１に記載の方法。
【請求項９】
当該方法は、さらに、
前記ＵＥが、自身のフットプリントエリア又はフィンガープリントエリアから離れ、又は自身のフットプリントエリア又はフィンガープリントエリアに進入する場合に、既存方式に従って測定タスクの測定を行う
ことを特徴とする請求項８に記載の方法。
【請求項１０】
前記ＵＥが自身のフットプリントエリア又はフィンガープリントエリアに近づく場合に、当該方法は、さらに、
前記ＵＥが、ネットワーク側に接近通知を報告し、前記接近通知は、ＵＥによって記憶された履歴情報における、ＣＳＧセル又はＨｙｂｒｉｄセルが位置する周波数情報を含み、
ネットワーク側が、受信した周波数情報に対して測定タスクを設定し、測定タスクをＵＥに送信し、測定オブジェクトは、受信した周波数である
ことを特徴とする請求項２に記載の方法。
【請求項１１】
前記接近通知は、サービングＲＳＲＰを更に含む
ことを特徴とする請求項１０に記載の方法。
【請求項１２】
前記ｓ−Ｍｅａｓｕｒｅ１はネットワーク側によって受信された周波数に対して設定される
ことを特徴とする請求項１０に記載の方法。
【請求項１３】
当該方法は、さらに、
前記ＵＥがネットワーク側に測定レポートを報告し、
ネットワーク側が、ＵＥからの測定レポートを受信した後、ハンドオーバーを実行すると決定した場合、ハンドオーバー準備プロセスを完了した後、ＵＥにハンドオーバーコマンドを送信し、同時に前記ｓ−Ｍｅａｓｕｒｅ１の設定を取り消すことを通知し、又は同時にインター周波数の測定を取り消すことを通知し、ＵＥが、ハンドオーバーコマンドを受信した後、ハンドオーバーを実行し、同時に前記ｓ−Ｍｅａｓｕｒｅ１を消去し、
ネットワーク側が、ハンドオーバーを実行しないと決定した場合、前記ＵＥがフットプリントエリア又はフィンガープリントエリアから離れて、離脱通知を報告するときに、ネットワーク側がｓ−Ｍｅａｓｕｒｅ１を消去することをＵＥに通知し、又は前記ＵＥがハンドオーバーコマンドを受信した後、ｓ−Ｍｅａｓｕｒｅ１を自動的に消去する
特徴とする請求項２に記載の方法。
【請求項１４】
セル測定の開始装置であって、
限定加入者グループ（ＣＳＧ）セル及び／又はハイブリッド（Ｈｙｂｒｉｄ）セルの測定を開始する開始条件を設定し、記憶する設定モジュールと、
開始条件を満たす場合に、測定モジュールに測定通知を送信する開始モジュールと、
開始モジュールからの測定通知を受信し、ＣＳＧセル及び／又はＨｙｂｒｉｄセルの測定を開始する測定モジュールと
を含むことを特徴とするセル測定の開始装置。
【請求項１５】
前記開始モジュールは、さらに、
サービング参照信号受信パワー（ＳｅｒｖｉｎｇＲＳＲＰ）を受信し、受信したサービングＲＳＲＰが開始条件を満たす場合に、前記測定モジュールに前記測定通知を送信する
ことを特徴とする請求項１４に記載の装置。
【請求項１６】
前記開始モジュールは、さらに、
ＵＥが自身のフットプリントエリア又はフィンガープリントに近づいたかを判断する
ことを特徴とする請求項１５に記載の装置。
【請求項１７】
セル測定の開始方法であって、当該方法は、
搬送波周波数におけるセルの測定を開始する開始条件を予め設定し、開始条件を満たす場合に、ユーザ装置（ＵＥ）が前記搬送波周波数におけるセルの測定を開始し、
前記開始条件を満たすことは、レイヤ３でフィルタされたサービングセルのＲＳＲＰ値であるサービングＲＳＲＰが、異なる搬送波周波数に対して設定された参照信号受信パワー（ＲＳＲＰ）値  ｓ−Ｍｅａｓｕｒｅより低い場合に、前記搬送波周波数におけるセルの測定を開始することであり、
又は、前記開始条件を満たすことは、前記ＵＥがネットワーク側からの通知を受信したことである
ことを特徴とするセル測定の開始方法。
【請求項１８】
前記セルはＣＳＧセル及び／又はＨｙｂｒｉｄセルであり、
前記開始条件は、更に、
ＣＳＧセル及び／又はＨｙｂｒｉｄセルが位置する１つ又は複数の搬送波周波数と他の搬送波周波数とは、異なるｓ−Ｍｅａｓｕｒｅが設定される
ことを特徴とする請求項１７に記載の方法。
【請求項１９】
前記搬送波周波数は、ＣＳＧセル及び／又はＨｙｂｒｉｄセルの専用の搬送波周波数であり、又は、前記搬送波周波数は、ＣＳＧセル及び／又はＨｙｂｒｉｄセルとマクロセルとで共用の搬送波周波数である
ことを特徴とする請求項１８に記載の方法。
【請求項２０】
前記ｓ−Ｍｅａｓｕｒｅはネットワーク側から測定制御メッセージを介してＵＥに通知され、又は既定値として設定される
ことを特徴とする請求項１８に記載の方法。
【請求項２１】
前記ｓ−Ｍｅａｓｕｒｅを既定値に設定する場合に、前記既定値は無限値又はサービングＲＳＲＰである
ことを特徴とする請求項２０に記載の方法。
【請求項２２】
当該方法は、さらに、
前記ＵＥが、自身のフットプリントエリア又はフィンガープリントエリアに近づき、セルの測定を自動的に開始する
ことを特徴とする請求項１８に記載の方法。
【請求項２３】
当該方法は、さらに、
前記ＵＥが、自身のフットプリントエリア又はフィンガープリントエリアから離れ、又は自身のフットプリントエリア又はフィンガープリントエリアに進入する場合に、既存方式に従って測定タスクの測定を行う
ことを特徴とする請求項２２に記載の方法。
【請求項２４】
前記ＵＥが自身のフットプリントエリア又はフィンガープリントエリアに近づく場合に、当該方法は、さらに、
前記ＵＥが、ネットワーク側に接近通知を報告し、前記接近情報は、ＵＥによって記憶された履歴情報における、セルが位置する周波数情報を含み、
ネットワーク側が、受信した周波数情報に対して測定タスクを設定し、測定タスクをＵＥに送信し、測定オブジェクトは、受信した周波数である
ことを特徴とする請求項１８に記載の方法。
【請求項２５】
前記接近通知はサービングＲＳＲＰを更に含む
ことを特徴とする請求項２４に記載の方法。
【請求項２６】
前記ｓ−Ｍｅａｓｕｒｅは、ネットワーク側によって受信された周波数に対して設定される
ことを特徴とする請求項２４に記載の方法。
【発明の詳細な説明】
【技術分野】
【０００１】
本発明は、無線通信分野におけるセル測定技術に関し、特に、限定加入者グループ（ＣＳＧ：Ｃｌｏｓｅｄ  Ｓｕｂｓｃｒｉｂｅｒ  Ｇｒｏｕｐ）セル及び／又はハイブリッド（Ｈｙｂｒｉｄ）セル測定の開始方法及び装置に関する。
【背景技術】
【０００２】
安価で高品質なサービスをユーザに提供するとともに、事業者のネットワーク構築コストを省き、ネットワークリソースを更に効率的に利用するために、ワンストップの無線アクセススキームが提案され、家庭用基地局と称される無線アクセス装置が導入されている。家庭用基地局は様々な無線アクセスの機能を提供することができる。ユーザが家庭、デパート、会社又は学校等の場所で家庭用基地局を利用している場合に、事業者は、料金の割引を提供することができ、同時に、一般的なセル（マクロセルとも称される）の負荷を低減することができる。このようなワンストップの無線アクセススキームは非常によい屋内カバレッジ最適化方法である。
【０００３】
現在、家庭用基地局には、クローズドモード、オープンモード及びハイブリッドモードという３つのアクセスモードがある。ここで、クローズドモードの家庭用基地局は、権限が付与されたユーザのみのアクセスを許可し、これらユーザにサービスを提供する。クローズドモードの家庭用基地局がカバーするセルは、ＣＳＧセルと称される。オープンモードの家庭用基地局は、すべてのユーザのアクセスを許可し、これらのユーザにサービスを提供する。オープンモードの家庭用基地局がカバーするセルは、オープン（Ｏｐｅｎ）セルと称され、このセルは、マクロセルに類似する。ハイブリッドモードの家庭用基地局は、権限が付与されたユーザのアクセスを許可し、これらのユーザにサービスを提供するだけではなく、権限が付与されていないユーザのアクセスも許可し、これらのユーザにサービスを提供する。ハイブリッドモードの家庭用基地局がカバーするセルは、Ｈｙｂｒｉｄセルと称される。権限が付与されたユーザと権限が付与されていないユーザとに対して、Ｈｙｂｒｉｄセルの役割りは異なっている。権限が付与されたユーザに対しては、ＨｙｂｒｉｄセルはＣＳＧセルとして利用され、権限が付与されていないユーザに対しては、ＨｙｂｒｉｄセルはＯｐｅｎセルとして利用される。
【０００４】
ＣＳＧセル又はＨｙｂｒｉｄセルは、料金面でのメリットを有するとともに、マクロセルの負荷を低減できるため、ＣＳＧユーザ装置（ＵＥ：Ｕｓｅｒ  Ｅｑｕｉｐｍｅｎｔ）は、できるだけ、権限が付与されたＣＳＧセル又はＨｙｂｒｉｄセルを介してネットワークにアクセスする。ＵＥがＣＳＧセル又はＨｙｂｒｉｄセルにアクセスしようとする場合、ＵＥは、まずＣＳＧセル又はＨｙｂｒｉｄセル、並びに他の隣接セルに対して測定を行う必要があり、そしてこれらの隣接セルの測定信号品質をネットワーク側に報告する。その後、ネットワーク側は、ＣＳＧセル又はＨｙｂｒｉｄセルにアクセスするかを最終的に決定する。
【０００５】
接続状態において、上記セル測定のプロセスは、主に、以下のような処理を含む。ネットワーク側は、測定識別子、測定オブジェクト、レポートコンフィギュレーション及び測定の他の関連属性を含む測定制御メッセージをＵＥに送信する。ＵＥは、測定制御メッセージ内の測定オブジェクト、レポートコンフィギュレーションに応じて測定を実行し、そして測定結果に応じて測定レポートを生成してネットワーク側に報告する。
【０００６】
ＵＥは、測定制御メッセージ内の測定オブジェクトの属性を介して、隣接セルの搬送波周波数を取得し、又は自身に記憶された履歴情報に応じて、隣接セルの搬送波周波数を取得する。ＵＥは、隣接セルのプライマリ同期信号（ＰＳＳ：Ｐｒｉｍａｒｙ  Ｓｙｎｃｈｒｏｎｉｚａｔｉｏｎ  Ｓｉｇｎａｌ）、セカンダリ同期信号（ＳＳＳ：Ｓｅｃｏｎｄａｒｙ  Ｓｙｎｃｈｒｏｎｉｚａｔｉｏｎ  Ｓｉｇｎａｌ）を検索することで、隣接セルとの時間での同期化を完了し、同時に、隣接セルの物理セル識別子（ＰＣＩ：Ｐｈｙｓｉｃａｌ  Ｃｅｌｌ  ｉｄｅｎｔｉｔｙ）を取得することができる。このとき、ＵＥは、隣接セルの信号品質を取得するために、隣接セルの参照信号（ＲＳ：Ｒｅｆｅｒｅｎｃｅ  Ｓｉｇｎａｌ）を読み取る。現在のネットワーク事業者は、ネットワーク構想のときに、例えばＰＣＩなど一部の物理リソースをＣＳＧセル使用のために保留し、また、この保留された物理リソースの構成を放送又はシグナル等の方式を介してＵＥに通知する。これにより、ＵＥは、物理層をスキャンすることによって、セルがＣＳＧセルであるかを判断することができる。通常、ＵＥは、自身がアクセスできるエリア（フィンガープリントエリア又はフットプリントエリアと称される）の位置情報を記憶しており、同時に、ＵＥは、自身がアクセスできるＣＳＧセルの搬送波周波数、ＰＣＩ、ＣＧＩ（Ｃｅｌｌ  Ｇｌｏｂａｌ  Ｉｄｅｎｔｉｔｙ）等の情報（履歴情報と称される）を記憶している。
【０００７】
現在のプロトコルにおいて、ＵＥが、ネットワーク側によって設定されたインター周波数、イントラ周波数、異なるシステムの測定を開始する条件は、ｓ−Ｍｅａｓｕｒｅが設定されないか、又は、ｓ−Ｍｅａｓｕｒｅが設定されており、レイヤ３（ネットワーク層）でフィルタされたサービングセル（在圏セル）の参照信号受信パワー（ＲＳＲＰ：Ｒｅｆｅｒｅｎｃｅ  Ｓｉｇｎａｌ  Ｒｅｃｅｉｖｅｄ  Ｐｏｗｅｒ）が、ｓ−Ｍｅａｓｕｒｅより低い場合である。ここで、ｓ−Ｍｅａｓｕｒｅは、１つの指定されたＲＳＲＰの値である。説明の便宜のために、本明細書中では、「レイヤ３でフィルタされたサービングセルのＲＳＲＰの値」をサービングＲＳＲＰと略称する。
【０００８】
ｓ−Ｍｅａｓｕｒｅを設定する目的は、測定と報告との頻度を低減することにある。つまり、ｓ−Ｍｅａｓｕｒｅが設定されており、サービングＲＳＲＰが常にｓ−Ｍｅａｓｕｒｅより高い場合には、ＵＥは、ネットワーク側が設定した測定タスクを開始しない。この場合に、ＵＥ周辺にアクセスを許可するＣＳＧセル又はＨｙｂｒｉｄセルが存在するとき、ＵＥは、このＣＳＧセル又はＨｙｂｒｉｄセルを測定できず、ハンドオーバーを実現することができない。これにより、ＣＳＧセル又はＨｙｂｒｉｄセルがその役割を十分に発揮することができず、また、マクロセルの負荷が増加し、結果として、ユーザの利益を十分に保護することができない。
【発明の概要】
【発明が解決しようとする課題】
【０００９】
これを鑑みて、本発明の主な目的は、ＣＳＧセル及び／又はＨｙｂｒｉｄセルにその役割を十分に発揮させることができ、マクロセルの負荷を低減させることができ、また、ユーザの利益を十分に保護することができるセル測定の開始方法を提供することにある。
【００１０】
本発明のもう１つの目的は、ＣＳＧセル及び／又はＨｙｂｒｉｄセルにその役割を十分に発揮させることができ、マクロセルの負荷を低減することができ、また、ユーザの利益を十分に保護することができるセル測定の開始装置を提供することにある。
【課題を解決するための手段】
【００１１】
上記目的を達成するために、本発明の技術案は以下のように実現される。
セル測定の開始方法であって、当該方法は、
限定加入者グループ（ＣＳＧ）セル及び／又はハイブリッド（Ｈｙｂｒｉｄ）セルの測定を開始する開始条件を予め設定し、
開始条件を満たす場合に、ユーザ装置（ＵＥ）がＣＳＧセル及び／又はＨｙｂｒｉｄセルの測定を開始する。
【００１２】
前記開始条件は、
予め設定された参照信号受信パワー（ＲＳＲＰ）値  ｓ−Ｍｅａｓｕｒｅ１であり、
前記開始条件を満たすことは、
レイヤ３でフィルタされたサービングセルのＲＳＲＰ値であるサービングＲＳＲＰが、ｓ−Ｍｅａｓｕｒｅ１より低いことであり、
又は、前記開始条件を満たすことは、
前記ＵＥがネットワーク側からの通知を受信したことであってもよい。
【００１３】
前記開始条件が、予め設定された参照信号受信パワーＲＳＲＰ値  ｓ−Ｍｅａｓｕｒｅ及びｓ−Ｍｅａｓｕｒｅ１である場合に、当該方法は、
前記サービングＲＳＲＰがｓ−Ｍｅａｓｕｒｅより低い場合に、ＵＥがすべての測定タスクの測定を実行し、測定オブジェクトは、測定タスクにおける指定搬送波周波数のすべてのセルを含み、
前記サービングＲＳＲＰがｓ−Ｍｅａｓｕｒｅ１より高い場合に、ＵＥがすべての測定タスクの測定を実行しなくてもよい。
【００１４】
前記ｓ−Ｍｅａｓｕｒｅ１は、ネットワーク側から測定制御メッセージを介してＵＥに通知され、又は既定値として設定されてもよい。
【００１５】
前記ｓ−Ｍｅａｓｕｒｅ１が既定値として設定される場合に、前記既定値は、無限値又はサービングＲＳＲＰであってもよい。
【００１６】
前記ｓ−Ｍｅａｓｕｒｅ１は、すべての搬送波周波数に対して設定され、又は、
ｓ−Ｍｅａｓｕｒｅ１は、各搬送波周波数に対してそれぞれ設定され、又は、
ｓ−Ｍｅａｓｕｒｅ１は、複数の搬送波周波数に対して設定されてもよい。
【００１７】
前記ｓ−Ｍｅａｓｕｒｅ１は、更に、１つの搬送波周波数、複数の搬送波周波数又はすべての搬送波周波数におけるＣＳＧセル及び／又はＨｙｂｒｉｄセルに対して設定され、又は、
前記ｓ−Ｍｅａｓｕｒｅ１は、更に、１つの搬送波周波数又は複数の搬送波周波数におけるすべてのセルに対して設定されてもよい。
【００１８】
開始条件を満たすことは、前記ＵＥが自身のフットプリントエリア又はフィンガープリントエリアに近づき、ＣＳＧセル及び／又はＨｙｂｒｉｄセルの測定を自動的に開始することであってもよい。
【００１９】
当該方法は、さらに、前記ＵＥが、自身のフットプリントエリア又はフィンガープリントエリアから離れ、又は自身のフットプリントエリア又はフィンガープリントエリアに進入する場合に、既存方式に従って測定タスクの測定を行ってもよい。
【００２０】
前記ＵＥが自身のフットプリントエリア又はフィンガープリントエリアに近づく場合に、当該方法は、さらに、
前記ＵＥが、ネットワーク側に接近通知を報告し、前記接近通知は、ＵＥによって記憶された履歴情報における、ＣＳＧセル又はＨｙｂｒｉｄセルが位置する周波数情報を含み、
ネットワーク側が、受信した周波数情報に対して測定タスクを設定し、測定タスクをＵＥに送信し、測定オブジェクトは、受信した周波数であってもよい。
【００２１】
前記接近通知は、サービングＲＳＲＰを更に含んでいてもよい。
【００２２】
前記ｓ−Ｍｅａｓｕｒｅ１はネットワーク側によって受信された周波数に対して設定されてもよい。
【００２３】
当該方法は、さらに、
前記ＵＥがネットワーク側に測定レポートを報告し、
ネットワーク側が、ＵＥからの測定レポートを受信した後、ハンドオーバーを実行すると決定した場合、ハンドオーバー準備プロセスを完了した後、ＵＥにハンドオーバーコマンドを送信し、同時に前記ｓ−Ｍｅａｓｕｒｅ１の設定を取り消すことを通知し、又は同時にインター周波数の測定を取り消すことを通知し、ＵＥが、ハンドオーバーコマンドを受信した後、ハンドオーバーを実行し、同時に前記ｓ−Ｍｅａｓｕｒｅ１を消去し、
ネットワーク側が、ハンドオーバーを実行しないと決定した場合、前記ＵＥがフットプリントエリア又はフィンガープリントエリアから離れて、離脱通知を報告するときに、ネットワーク側がｓ−Ｍｅａｓｕｒｅ１を消去することをＵＥに通知し、又は前記ＵＥがハンドオーバーコマンドを受信した後、ｓ−Ｍｅａｓｕｒｅ１を自動的に消去してもよい。
【００２４】
セル測定の開始装置であって、
限定加入者グループ（ＣＳＧ）セル及び／又はハイブリッド（Ｈｙｂｒｉｄ）セルの測定を開始する開始条件を設定し、記憶する設定モジュールと、
開始条件を満たす場合に、測定モジュールに測定通知を送信する開始モジュールと、
開始モジュールからの測定通知を受信し、ＣＳＧセル及び／又はＨｙｂｒｉｄセルの測定を開始する測定モジュールと
を含むことを特徴とするセル測定の開始装置。
【００２５】
前記開始モジュールは、さらに、
サービング参照信号受信パワー（ＳｅｒｖｉｎｇＲＳＲＰ）を受信し、受信したサービングＲＳＲＰが開始条件を満たす場合に、前記測定モジュールに前記測定通知を送信してもよい。
【００２６】
前記開始モジュールは、さらに、
ＵＥが自身のフットプリントエリア又はフィンガープリントに近づいたかを判断してもよい。
【００２７】
セル測定の開始方法であって、当該方法は、
搬送波周波数におけるセルの測定を開始する開始条件を予め設定し、開始条件を満たす場合に、ユーザ装置（ＵＥ）が前記搬送波周波数におけるセルの測定を開始し、
前記開始条件を満たすことは、レイヤ３でフィルタされたサービングセルのＲＳＲＰ値であるサービングＲＳＲＰが、異なる搬送波周波数に対して設定された参照信号受信パワー（ＲＳＲＰ）値  ｓ−Ｍｅａｓｕｒｅより低い場合に、前記搬送波周波数におけるセルの測定を開始することであり、
又は、前記開始条件を満たすことは、前記ＵＥがネットワーク側からの通知を受信したことである。
【００２８】
前記セルはＣＳＧセル及び／又はＨｙｂｒｉｄセルであり、
前記開始条件は、更に、
ＣＳＧセル及び／又はＨｙｂｒｉｄセルが位置する１つ又は複数の搬送波周波数と他の搬送波周波数とは、異なるｓ−Ｍｅａｓｕｒｅが設定されてもよい。
【００２９】
前記搬送波周波数は、ＣＳＧセル及び／又はＨｙｂｒｉｄセルの専用の搬送波周波数であり、又は、前記搬送波周波数は、ＣＳＧセル及び／又はＨｙｂｒｉｄセルとマクロセルとで共用の搬送波周波数であってもよい。
【００３０】
前記ｓ−Ｍｅａｓｕｒｅはネットワーク側から測定制御メッセージを介してＵＥに通知され、又は既定値として設定されてもよい。
【００３１】
前記ｓ−Ｍｅａｓｕｒｅを既定値に設定する場合に、前記既定値は無限値又はサービングＲＳＲＰであってもよい。
【００３２】
当該方法は、さらに、
前記ＵＥが、自身のフットプリントエリア又はフィンガープリントエリアに近づき、セルの測定を自動的に開始してもよい。
【００３３】
当該方法は、さらに、
前記ＵＥが、自身のフットプリントエリア又はフィンガープリントエリアから離れ、又は自身のフットプリントエリア又はフィンガープリントエリアに進入する場合に、既存方式に従って測定タスクの測定を行ってもよい。
【００３４】
前記ＵＥが自身のフットプリントエリア又はフィンガープリントエリアに近づく場合に、当該方法は、さらに、
前記ＵＥが、ネットワーク側に接近通知を報告し、前記接近情報は、ＵＥによって記憶された履歴情報における、セルが位置する周波数情報を含み、
ネットワーク側が、受信した周波数情報に対して測定タスクを設定し、測定タスクをＵＥに送信し、測定オブジェクトは、受信した周波数であってもよい。
【００３５】
前記接近通知はサービングＲＳＲＰを更に含んでいてもよい。
【００３６】
前記ｓ−Ｍｅａｓｕｒｅは、ネットワーク側によって受信された周波数に対して設定されてもよい。
【００３７】
上記本発明に係る技術案では、ＣＳＧセル及び／又はＨｙｂｒｉｄセルの測定を開始する開始条件が予め設定され、開始条件を満たす場合に、ＣＳＧセル及び／又はＨｙｂｒｉｄセルの測定が開始される。ここで、開始条件は、ＵＥが自身のフットプリントエリア又はフィンガープリントエリアに近づき、ＣＳＧセル及び／又はＨｙｂｒｉｄセルの測定を自動的に開始することである。本発明に係る方法によれば、サービングセルの信号品質が良過ぎてＣＳＧセル及び／又はＨｙｂｒｉｄセルの測定を開始することができず、これにより、ＣＳＧセル及び／又はＨｙｂｒｉｄセルにハンドオーバーすることができない問題を解決することができる。これにより、本発明は、ＣＳＧセル及び／又はＨｙｂｒｉｄセルにその役割を十分に発揮させることができ、マクロセルの負荷を低減することができ、また、ユーザの利益を十分に保護することができる。
【図面の簡単な説明】
【００３８】
【図１】本発明に係るセル測定の開始方法のフローチャートである。
【図２】本発明に係る、ｓ−Ｍｅａｓｕｒｅ及びｓ−Ｍｅａｓｕｒｅ１の開始条件で開始されるセル測定を示す図である。
【図３】本発明に係るセル測定の開始装置の構造図である。
【図４】本発明に係るセル測定の開始方法の第１実施形態を示すフローチャートである。
【図５】本発明に係るセル測定の開始方法の第２実施形態のフローチャートである。
【図６】本発明に係るセル測定の開始方法の第３実施形態のフローチャートである。
【図７】本発明に係るセル測定の開始方法の第４実施形態のフローチャートである。
【発明を実施するための形態】
【００３９】
図１は、本発明に係るセル測定の開始方法のフローチャートである。図１に示すように、この方法は、以下のステップを含む。
【００４０】
ステップ１００：  ＣＳＧセル及び／又はＨｙｂｒｉｄセルの測定を開始する開始条件を予め設定する。
【００４１】
本ステップにおいて、開始条件は、特定のｓ−Ｍｅａｓｕｒｅであり、この特定のｓ−Ｍｅａｓｕｒｅは、ｓ−Ｍｅａｓｕｒｅ１と称される。ｓ−Ｍｅａｓｕｒｅ１は、ｓ−Ｍｅａｓｕｒｅとは異なる。サービングＲＳＲＰがｓ−Ｍｅａｓｕｒｅより高く、かつ、ｓ−Ｍｅａｓｕｒｅ１より低い場合に、ＵＥは、ＣＳＧセル及び／又はＨｙｂｒｉｄセルの測定を開始する。
【００４２】
ステップ１０１：  開始条件を満たす場合に、ＣＳＧセル又はＨｙｂｒｉｄセルの測定を開始する。
【００４３】
図２は、本発明に係る、ｓ−Ｍｅａｓｕｒｅ及びｓ−Ｍｅａｓｕｒｅ１の開始条件で開始されるセル測定の模式図である。図２に示すように、曲線２１は、レイヤ３（ネットワーク層）でフィルタされたサービングセルのＲＳＲＰ値、即ちサービングＲＳＲＰである。
【００４４】
図２において、時刻Ｔ１から時刻Ｔ２まで、サービングＲＳＲＰはｓ−Ｍｅａｓｕｒｅより低く、この場合、ＵＥはすべての測定タスクの測定を実行する。測定オブジェクトは、測定タスクにおける指定搬送波周波数のすべてのセルを含む。
【００４５】
時刻Ｔ２から時刻Ｔ３まで、サービングＲＳＲＰは、ｓ−Ｍｅａｓｕｒｅより高いく、かつ、ｓ−Ｍｅａｓｕｒｅ１より低く、この場合、ＵＥはすべての測定タスクにおいて、ＣＳＧセル及び／又はＨｙｂｒｉｄセル（測定オブジェクト）の測定を実行する。
【００４６】
時刻Ｔ３以後、サービングＲＳＲＰはｓ−Ｍｅａｓｕｒｅ１より高く、この場合、ＵＥはすべての測定タスクの測定を実行しない。
【００４７】
ここで、ｓ−Ｍｅａｓｕｒｅ１はすべての搬送波周波数に対して１つ設定されてもよいし、各搬送波周波数に対してそれぞれ１つずつ設定されてもよい。あるいは、複数の搬送波周波数に対して１つ設定されてもよい。
【００４８】
ｓ−Ｍｅａｓｕｒｅ１は、ネットワーク側から測定制御メッセージを介してＵＥに通知されてもよく、無限値又はサービングＲＳＲＰのような既定値を用いてもよい。ｓ−Ｍｅａｓｕｒｅ１が無限値又はサービングＲＳＲＰに設定される場合、どの時点においても、ＵＥが実行する測定タスクの測定オブジェクトは、ＣＳＧセル及び／又はＨｙｂｒｉｄセルを含む。
【００４９】
更に、ＵＥが自身のフットプリントエリア又はフィンガープリントエリアに近づいた後、ＵＥは、本発明に係る開始条件に応じて、測定タスクにおけるＣＳＧセル及び／又はＨｙｂｒｉｄセルに対する測定を開始する。
【００５０】
ＵＥが自身のフットプリントエリア又はフィンガープリントエリアから離れ、又は自身のフットプリントエリア又はフィンガープリントエリアに進入する場合、ＵＥは、既存方式に従って測定タスクの測定を行う。
【００５１】
本発明に係る方法によれば、サービングセルの信号が良過ぎてＣＳＧセル及び／又はＨｙｂｒｉｄセルの測定を開始できず、これにより、ＣＳＧセル及び／又はＨｙｂｒｉｄセルにハンドオーバーすることができない問題を解決することができる。これにより、本方法は、ＣＳＧセル及び／又はＨｙｂｒｉｄセルにその役割を十分に発揮させることができ、マクロセルの負荷を低減することができ、ユーザの利益を保護することができる。
【００５２】
本発明に係る方法は更に、以下の処理を含む。前記ＵＥが自身のフットプリントエリア又はフィンガープリントエリアに近づく場合に、前記ＵＥは、ネットワーク側に接近通知を報告する。接近通知は、ＵＥによって記憶された履歴情報における、ＣＳＧセル又はＨｙｂｒｉｄセルが位置する周波数情報を含む。ネットワーク側は、受信した周波数情報に対して測定タスクを設定する。測定オブジェクトの搬送波周波数は当該周波数であり、測定タスクは、ＵＥに送信される。
【００５３】
前記接近通知は、更にサービングＲＳＲＰを含む。
【００５４】
本発明に係る方法は更に、以下の処理を含む。
前記ＵＥは、ネットワーク側に測定レポートを報告する。
ネットワーク側は、ＵＥからの測定レポートを受信した後、ハンドオーバーを実行すると決定した場合、ハンドオーバー準備プロセスを完了した後、ＵＥにハンドオーバーコマンドを送信し、同時に前記ｓ−Ｍｅａｓｕｒｅ１の設定を取り消すことを通知し、又は同時にインター周波数の測定タスクを取り消すこととを通知する。ＵＥは、ハンドオーバーコマンドを受信した後、ハンドオーバーを実行し、同時に前記ｓ−Ｍｅａｓｕｒｅ１を消去する。
ネットワーク側がハンドオーバーを実行しないと決定した場合、前記ＵＥがフットプリントエリア又はフィンガープリントエリアから離れ、そして離脱通知を報告する場合に、ネットワーク側がｓ−Ｍｅａｓｕｒｅ１を消去するようにＵＥに通知し、又は前記ＵＥがハンドオーバーコマンドを受信した後、ｓ−Ｍｅａｓｕｒｅ１を自動的に消去する
【００５５】
なお、ある搬送波周波数におけるセルには、ＣＳＧセル、Ｈｙｂｒｉｄセル、及びマクロセルが含まれる。本発明のもう１つの方法は、ある搬送波周波数におけるセルの測定を開始する開始条件を予め設定し、開始条件を満たす場合に、ＵＥが当該搬送波周波数におけるすべてのセルの測定を開始する。ここで、開始条件は、異なる搬送波周波数に対してｓ−Ｍｅａｓｕｒｅを設定する。または、前記開始条件を満たすことは、前記ＵＥがネットワーク側からの通知を受信することである。
【００５６】
前記セルはＣＳＧセル及び／又はＨｙｂｒｉｄセルであり、ＣＳＧセル及び／又はＨｙｂｒｉｄセルが位置する搬送波周波数は、他の搬送波周波数とは異なるｓ−Ｍｅａｓｕｒｅが設定される。ＣＳＧセル及び／又はＨｙｂｒｉｄセルが位置する搬送波周波数は１つ又は複数である。
【００５７】
前記搬送波周波数は、ＣＳＧセル及び／又はＨｙｂｒｉｄセルの専用の搬送波周波数である。即ち、前記搬送波周波数にはマクロセルが存在しない。または、前記搬送波周波数は、ＣＳＧセル及び／又はＨｙｂｒｉｄセルとマクロセルとで共用の搬送波周波数である。即ち、前記搬送波周波数には、ＣＳＧセル及び／又はＨｙｂｒｉｄセルも存在し、マクロセルも存在する。
【００５８】
前記ｓ−Ｍｅａｓｕｒｅは、ネットワーク側から測定制御メッセージを介してＵＥに通知され、又は既定値として設定される。
【００５９】
前記ｓ−Ｍｅａｓｕｒｅを既定値に設定する場合に、前記既定値は無限値又はサービングＲＳＲＰである。
【００６０】
前記ＵＥは、自身のフットプリントエリア又はフィンガープリントエリアに近づいた後、前記開始条件に応じて測定タスクにおけるセルの測定を開始する。
【００６１】
当該方法は更に、前記ＵＥが自身のフットプリントエリア又はフィンガープリントエリアから離れ、又は自身のフットプリントエリア又はフィンガープリントエリアに進入する場合、ＵＥが既存方式に従って測定タスクの測定を行うことを含む。
【００６２】
前記ＵＥが自身のフットプリントエリア又はフィンガープリントエリアに近づく場合に、当該方法は更に、以下の処理を含む。
前記ＵＥは、ネットワーク側に接近通知を報告する。接近通知は、ＵＥによって記憶された履歴情報における、セルが位置する周波数情報を含む。
ネットワーク側は、受信した周波数情報に対して測定タスクを設定し、そしてＵＥに送信する。測定オブジェクトは、当該周波数である。
【００６３】
前記接近通知はサービングＲＳＲＰを更に含む。
【００６４】
前記ｓ−Ｍｅａｓｕｒｅはネットワーク側によって受信された周波数に対して設定されるものである。
【００６５】
ある搬送波周波数におけるセルがＣＳＧセル及び／又はハイブリッドＨｙｂｒｉｄセルだけでなく、マクロセルも含む場合、本発明に係る方法は更に、ＵＥが前記搬送波周波数におけるすべてのセルの測定を開始することを含む。即ち、ある搬送波周波数におけるすべてのセルに対してｓ−Ｍｅａｓｕｒｅ１を設定する。
【００６６】
図３は、本発明に係るセル測定の開始装置の構造図である。図３に示すように、本発明に係る装置は、設定モジュール、開始モジュール及び測定モジュールを含む。
【００６７】
設定モジュールは、ＣＳＧセル及び／又はＨｙｂｒｉｄセル測定を開始する開始条件を設定し、且つ記憶することに用いられる。
【００６８】
開始モジュールは、サービングＲＳＲＰを受信し、受信したサービングＲＳＲＰが開始条件を満たす場合に、測定モジュールに測定通知を送信することに用いられる。
【００６９】
測定モジュールは、開始モジュールからの測定通知を受信し、ＣＳＧセル及び／又はＨｙｂｒｉｄセルの測定を開始する。
【００７０】
前記開始モジュールは更に、ＵＥが自身のフットプリントエリア又はフィンガープリントエリアに近づく情報を受信して、受信したサービングＲＳＲＰが開始条件を満たすかを判断することに用いられる。
【００７１】
以下、実施形態に合わせて本発明に係る方法を詳細に説明する。
【００７２】
第１実施形態
図４は本発明に係るセル測定の開始方法の第１実施形態のフローチャートである。第１実施形態において、ＵＥがＥＵＴＲＡＮシステム（ＥＵＴＲＡＮ：Evolved Universal Terrestrial Ratio Access Network）で接続状態であり、ＥＵが位置するサービングセルの周波数がｆ１である場合が想定されている。図４に示すように、この方法は、以下のステップを含む。
【００７３】
ステップ４００：ネットワーク側は、ＵＥに測定制御メッセージを送信する。測定制御メッセージは、２つのｓ−Ｍｅａｓｕｒｅを含み、１つはマクロセル測定に用いられるｓ−Ｍｅａｓｕｒｅであり、他の１つはＣＳＧセル及び／又はＨｙｂｒｉｄセル測定に用いられるｓ−Ｍｅａｓｕｒｅ１である。ｓ−Ｍｅａｓｕｒｅ１はｓ−Ｍｅａｓｕｒｅより高い。また、測定制御メッセージには、更に測定タスク１が含まれる。この測定タスク１は、ＥＵＴＲＡＮ隣接セルの信号品質がサービングセルの信号品質よりも良いことを示すトリガイベントＡ３であり、測定オブジェクトの搬送波周波数はｆ１である。また、測定制御メッセージには、測定タスク２が含まれる。この測定タスク２は、ＥＵＴＲＡＮ隣接セルの信号品質がサービングセルの信号品質よりも良いことを示すトリガイベントＡ３であり、測定オブジェクトの搬送波周波数はｆ２である。
【００７４】
ステップ４０１：ＵＥはｓ−Ｍｅａｓｕｒｅ及びｓ−Ｍｅａｓｕｒｅ１に応じて測定を実行する。
【００７５】
図２を参照して、時刻Ｔ１から時刻Ｔ２まで、サービングＲＳＲＰはｓ−Ｍｅａｓｕｒｅより低く、この場合、ＵＥは、測定タスク１と測定タスク２との測定を実行する。測定オブジェクトは、搬送波周波数ｆ１及び搬送波周波数ｆ２におけるすべてのセルを含む。ＵＥは、搬送波周波数ｆ１におけるマクロセルＣ１とＣＳＧセルＣ２とが測定タスク１におけるＡ３のトリガ条件を満たし、搬送波周波数ｆ２におけるマクロセルＣ３とＣＳＧセルＣ４とが測定タスク２におけるＡ３のトリガ条件を満たすと判断した場合、ネットワーク側にそれを報告する。ここで、測定タスク１のレポートはセルＣ１及びセルＣ２を含み、測定タスク２のレポートはセルＣ３及びセルＣ４を含む。
【００７６】
時刻Ｔ２から時刻Ｔ３まで、サービングＲＳＲＰはｓ−Ｍｅａｓｕｒｅより高いが、ｓ−Ｍｅａｓｕｒｅ１より低く、この場合、ＵＥは測定タスク１及び測定タスク２の測定を実行する。測定オブジェクトは搬送波周波数ｆ１及び搬送波周波数ｆ２におけるＣＳＧセル及び／又はＨｙｂｒｉｄセルである。ＵＥは、搬送波周波数ｆ１における新たなＣＳＧセルＣ５が測定タスク１におけるＡ３のトリガ条件を満たし、搬送波周波数ｆ２における新たなＣＳＧセルＣ６が測定タスク２におけるＡ３のトリガ条件を満たすと判断した場合、ネットワーク側にそれを報告する。ここで、測定タスク１のレポートはセルＣ２、Ｃ５を含み、測定タスク２のレポートはセルＣ４、Ｃ６を含む。ＵＥはマクロセルＣ１及びＣ３を測定してないため、関連測定レポートにはこの２つのセルは含まれない。
【００７７】
時刻Ｔ３以後、サービングＲＳＲＰはｓ−Ｍｅａｓｕｒｅ１より高く、この場合、ＵＥは測定タスク１及び測定タスク２の測定を実行せず、測定タスクのレポートをネットワーク側に報告しない。
【００７８】
本ステップにおいて、ｓ−Ｍｅａｓｕｒｅ１は、ｓ−Ｍｅａｓｕｒｅに１つのオフセットを設定することで実現することができる。例えば、ｓ−Ｍｅａｓｕｒｅ及びオフセットｏｆｆｓｅｔを設定し、このとき、
ｓ−Ｍｅａｓｕｒｅ１＝ｓ−Ｍｅａｓｕｒｅ＋ｏｆｆｓｅｔ、又は、
ｓ−Ｍｅａｓｕｒｅ１＝ｓ−Ｍｅａｓｕｒｅ−ｏｆｆｓｅｔである。
【００７９】
ｓ−Ｍｅａｓｕｒｅ１は、搬送波周波数ｆ１におけるＣＳＧセル及び／又はＨｙｂｒｉｄセルのみに対して設定されてもよい。この場合、時刻Ｔ２から時刻Ｔ３まで、ＵＥは、測定オブジェクトが搬送波周波数ｆ１におけるＣＳＧセル及び／又はＨｙｂｒｉｄセルである測定タスク１の測定のみを実行し、測定タスク２の測定を実行しない。ｓ−Ｍｅａｓｕｒｅ１はｆ１においてすべてのセルに対して設定されてもよい。この場合、時刻Ｔ２から時刻Ｔ３まで、ＵＥは、測定オブジェクトが搬送波周波数ｆ１におけるすべてのセルである測定タスク１の測定のみを実行し、測定タスク２の測定を実行しない。
【００８０】
第２実施形態
図５は本発明に係るセル測定の開始方法の第２実施形態のフローチャートである。第２実施形態において、ＵＥがＥＵＴＲＡＮシステムで接続状態であり、ＵＥが位置するサービングセルの周波数がｆ１である場合が想定されている。図５に示すように、この方法は、以下のステップを含む。
【００８１】
ステップ５００：ネットワーク側は、ＵＥに測定制御メッセージを送信する。この測定制御メッセージは、ｓ−Ｍｅａｓｕｒｅを含む。また、測定制御メッセージには、更に、測定タスク１が含まれる。この測定タスク１は、ＥＵＴＲＡＮ隣接セルの信号品質がサービングセルよりも良いことを示すトリガイベントＡ３であり、測定オブジェクトの搬送波周波数はｆ１である。また、制御メッセージには、測定タスク２が含まれる。この測知タスク２は、ＥＵＴＲＡＮ隣接セルの信号品質がサービングセルの信号品質よりも良いことを示すトリガイベントＡ３であり、測定オブジェクトの搬送波周波数はｆ２である。
【００８２】
ステップ５０１：ＵＥは、ｓ−Ｍｅａｓｕｒｅに応じて、関連測定を実行し又は測定を実行しない。
【００８３】
ＵＥが測定タスクを実行する前提条件は、サービングＲＳＲＰがｓ−Ｍｅａｓｕｒｅより低いことであり、現在のサービングＲＳＲＰがｓ−Ｍｅａｓｕｒｅより高い場合には、ＵＥは測定タスク１及び測定タスク２の測定を実行しない。
【００８４】
ステップ５０２〜ステップ５０３：ＵＥは、自身のフットプリントエリア又はフィンガープリントエリアに近づく場合、ネットワーク側に接近通知を報告する。接近通知は、ＵＥによって記憶された履歴情報における、ＣＳＧセル及び／又はＨｙｂｒｉｄセルが位置する搬送波周波数ｆ１、又はＲＡＴ情報、又はサービングセルのＲＳＲＰ（即ちサービングＲＳＲＰ）を含む。
【００８５】
本ステップ中において、ＵＥはサービングＲＳＲＰを報告しなくてもよい。
【００８６】
ステップ５０４：ネットワーク側は、ｓ−Ｍｅａｓｕｒｅ１を含む測定制御メッセージをＵＥに送信する。当該ｓ−Ｍｅａｓｕｒｅ１は、搬送波周波数ｆ１に対して設定され、サービングＲＳＲＰよりも高く、搬送波周波数ｆ１におけるすべてのセル測定を開始することに用いられる。即ち、ＵＥは、ｓ−Ｍｅａｓｕｒｅ１に基づいて測定タスク１の測定を実行し、ｓ−Ｍｅａｓｕｒｅに基づいてタスク２の測定を実行する。
【００８７】
ステップ５０２〜ステップ５０３において、ＵＥはサービングＲＳＲＰを報告しておらず、この場合、ネットワーク側はｓ−Ｍｅａｓｕｒｅ１を無限値又はサービングＲＳＲＰに設定してもよい。ＵＥは測定制御メッセージを受信した後、搬送波周波数ｆ１におけるすべてのセルの測定を無条件に開始する。
【００８８】
また、ステップ５０２〜ステップ５０３において、履歴情報においてＣＳＧセル又はＨｙｂｒｉｄセルが位置する周波数が、ネットワーク側が送信していない測定オブジェクト（例えば周波数ｆ３）であるとＵＥが判断し、且つネットワーク側にそれを報告する場合、本ステップにおいて、ネットワーク側は、ＵＥに対して測定タスク３を更に設定してもよい。この場合、測定オブジェクトの搬送波周波数はｆ３であり、同時にｆ３に対してｓ−Ｍｅａｓｕｒｅ１を指定してもよい。
【００８９】
本ステップにおいて、ネットワーク側は、ＵＥに対してｓ−Ｍｅａｓｕｒｅ１を設定せずに、代わりに測定開始通知を送信してもよい。当該測定開始通知は、ｆ１におけるすべてのセルに対するものであってもよく、この場合、ＵＥは、当該測定開始通知を受信した後、測定タスク１におけるすべてのセルの測定を実行する。あるいは、当該測定開始通知は、すべての搬送波周波数におけるＣＳＧセル及び／又はＨｙｂｒｉｄセルに対するものであってもよく、この場合、ＵＥは当該測定開始通知を受信した後、測定タスク１及び測定タスク２におけるＣＳＧセル及び／又はＨｙｂｒｉｄセルの測定を実行する。あるいは、当該測定開始通知は、搬送波周波数ｆ１におけるＣＳＧセル及び／又はＨｙｂｒｉｄセルに対するものであってもよく、この場合、ＵＥは、当該測定開始通知を受信した後、測定タスク１におけるＣＳＧセル及び／又はＨｙｂｒｉｄセルの測定を実行する。同様に、ネットワーク側はｓ−Ｍｅａｓｕｒｅ１を取り消す場合に測定開始通知を回収する。
【００９０】
ステップ５０５〜ステップ５０６：ＵＥはｓ−Ｍｅａｓｕｒｅ及びｓ−Ｍｅａｓｕｒｅ１に応じて関連測定を実行し又は測定を実行しない。現在のサービングＲＳＲＰがｓ−Ｍｅａｓｕｒｅより高く、ｓ−Ｍｅａｓｕｒｅ１より低い場合、ＵＥは、ｓ−Ｍｅａｓｕｒｅ１に応じて測定タスク１の測定を実行する。一方、ＵＥは、測定タスク２の測定を実行しない。
【００９１】
ＵＥは、測定タスク１におけるすべてのセルの測定を実行し、ＣＳＧセルＣ１が測定タスク１におけるＡ３のトリガ条件を満たすと判断した場合、セルＣ１を含む測定結果をネットワーク側に報告する。
【００９２】
本ステップにおいて、ＵＥが搬送波周波数ｆ１においてアクセス可能なＣＳＧセル又はＨｙｂｒｉｄセルがないと判断した場合（例えばセルＣ１のアクセスが許可されていない場合）、ＵＥは、アクセス不許可の結果をネットワーク側に報告してもよい。あるいは、ＵＥは、ｓ−Ｍｅａｓｕｒｅ１を取り消すことをネットワーク側に指示して、同時にＵＥ自身もｓ−Ｍｅａｓｕｒｅ１を取り消してもよい。この場合、ネットワーク側は、ＵＥによって報告されたアクセス不許可の結果を受信した後、ＵＥにｓ−Ｍｅａｓｕｒｅ１を取り消すように通知しない。
【００９３】
ＵＥが搬送波周波数ｆ１においてＣＳＧセルＣ１及びＣＳＧセルＣ２が存在すると判断し、且ついずれのセルも測定タスク１においてＡ３のトリガ条件を満たし、また、セルＣ１の信号品質がセルＣ２の信号品質よりも良いが、セルＣ１のアクセスが許可されておらず、セルＣ２のアクセスが許可されている場合、ＵＥは、測定結果を報告せずに、ネットワーク側にｓ−Ｍｅａｓｕｒｅ１を取り消すように通知してもよい。または、ＵＥは、一番良いＣＳＧセルＣ１がアクセスを許可しないセルであることをネットワーク側に通知してもよい。あるいは、ＵＥが測定結果を報告し、ネットワーク側がハンドオーバーするかどうかを決定してもよい。
【００９４】
ＵＥがＣＳＧセルＣ１及びマクロセルＣ３がいずれも測定タスク１におけるイベントＡ３のトリガ条件を満たすと判断し、且つセルＣ３の信号品質がＣ１の信号品質よりも良い場合、ＵＥは、測定レポートを報告せずに、ｓ−Ｍｅａｓｕｒｅ１を取り消すようにネットワーク側に通知してもよい。あるいは、ＵＥは、ＣＳＧセルＣ１が搬送波周波数ｆ１における一番良いセルではないことをネットワーク側に通知してもよい。あるいは、ＵＥが測定結果を報告し、ネットワーク側がハンドオーバーするかどうかを決定してもよい。
【００９５】
ステップ５０７〜ステップ５１０：ネットワーク側は、ＵＥの測定レポートを受信した後、ハンドオーバーを実行すると決定した場合、ハンドオーバー準備プロセスを完了した後、ＵＥにハンドオーバーコマンドを送信し、同時にｓ−Ｍｅａｓｕｒｅ１の設定を取り消すことを通知する。ＵＥはハンドオーバーコマンドを受信した後、ハンドオーバーを実行し、同時にｓ−Ｍｅａｓｕｒｅ１を消去する。
【００９６】
ここで、ｓ−Ｍｅａｓｕｒｅ１はすべての搬送波周波数のＣＳＧセル及び／又はＨｙｂｒｉｄセルに対しするものであってもよい。即ちＵＥは、ｓ−Ｍｅａｓｕｒｅ１を受信した後、測定タスク１及び測定タスク２におけるＣＳＧセル及び／又はＨｙｂｒｉｄセルの測定を実行する。あるいは、ｓ−Ｍｅａｓｕｒｅ１は、搬送波周波数ｆ１におけるＣＳＧセル及び／又はＨｙｂｒｉｄセルの測定に用いられてもよく、この場合、ＵＥは、ｓ−Ｍｅａｓｕｒｅ１を受信した後、搬送波周波数ｆ１におけるＣＳＧセル及び／又はＨｙｂｒｉｄセルを測定する。この場合、ｆ１における他のセル及び他の搬送波周波数（例えば搬送波周波数ｆ２）におけるすべてのセルの測定は、ｓ−Ｍｅａｓｕｒｅに基づく既存の方法に従って行われない。
【００９７】
本ステップにおいて、ネットワーク側がＵＥの測定レポートを受信した後、ハンドオーバーできないと判断した場合、ＵＥがフットプリントエリア又はフィンガープリントエリアから離れてそして離脱通知を報告するときに、ネットワーク側は、ｓ−Ｍｅａｓｕｒｅ１を消去するようにＵＥに通知する。ＵＥは、通知を受信した後、ｓ−Ｍｅａｓｕｒｅに基づく既存の測定方法に応じた、測定タスク１の測定を中止する。
【００９８】
ネットワーク側はｓ−Ｍｅａｓｕｒｅ１を取り消すことを明示しなくてもよく、ＵＥはハンドオーバーコマンドを受信した後に、ｓ−Ｍｅａｓｕｒｅ１を自動的に消去する。
【００９９】
第３実施形態
図６は本発明に係るセル測定の開始方法の第３実施形態のフローチャートである。ＵＥはＥＵＴＲＡＮシステムにおいて接続状態であり、ＵＥが位置するサービングセルの搬送波周波数はｆ１である。図６に示すように、この方法は、以下のステップを含む。
【０１００】
ステップ６００：ネットワーク側は、ＵＥに測定制御メッセージを送信する。この測定制御メッセージは、ｓ−Ｍｅａｓｕｒｅを含む。また、測定制御メッセージには、更に測定タスク１が含まれる。測定タスク１は、ＥＵＴＲＡＮ隣接セルの信号品質がサービングセルの信号品質よりも良いことを示すトリガイベントＡ３であり、測定オブジェクトの搬送波周波数はｆ１である。
【０１０１】
ステップ６０１：ＵＥはｓ−Ｍｅａｓｕｒｅに応じて関連測定を実行し又は測定を実行しない。
【０１０２】
測定制御メッセージにはｓ−Ｍｅａｓｕｒｅ１が含まれないため、ＵＥが測定タスクを実行する条件は、サービングＲＳＲＰがｓ−Ｍｅａｓｕｒｅより低いことである。現在のサービングＲＳＲＰがｓ−Ｍｅａｓｕｒｅよりも高い場合、ＵＥは測定タスク１を実行しない。
【０１０３】
ステップ６０２〜ステップ６０３：ＵＥが自身のフットプリントエリア又はフィンガープリントエリアに近づく場合、ＵＥは、ネットワーク側に接近通知を報告する。接近通知には、ＵＥに記憶された履歴情報においてＣＳＧセル及び／又はＨｙｂｒｉｄセルが位置する搬送波周波数ｆ２が含まれていてもよいし（当該搬送波周波数ｆ２においてＣＳＧセルのみが存在）、セルが所属するＲＡＴが含まれていてもよい（ＵＴＲＡＮ）。近接通知には、更にサービングＲＳＲＰが含まれていてもよい。
【０１０４】
本実施形態において、ネットワーク側が最初に搬送波周波数ｆ２のイベントＢ２の測定タスク２を設定する場合、本ステップにおいて、ＵＥはネットワーク側にサービングＲＳＲＰを報告する必要はなく、後続のステップ６０４において、ネットワーク側が測定制御メッセージにおいて搬送波周波数ｆ２におけるすべてのＵＴＲＡＮセルを測定することをＵＥに通知するだけでよい。
【０１０５】
ステップ６０４：ネットワーク側は、ＵＥに測定制御メッセージを送信する。測定制御メッセージは、測定タスク２を含む。この測定タスク２は、サービングセルの信号品質が閾値１より低く、ＵＴＲＡＮ隣接セルの信号品質が閾値２より高いことを示すトリガイベント（Ｂ２）であり、測定オブジェクトの搬送波周波数はｆ２である。また、搬送波周波数ｆ２に対するｓ−Ｍｅａｓｕｒｅ１が指定され、このｓ−Ｍｅａｓｕｒｅ１は、サービングＲＳＲＰより高く、搬送波周波数ｆ２においてＣＳＧセル及び／又はＨｙｂｒｉｄセルの測定に用いられる。
【０１０６】
本ステップにおいて、ネットワーク側は、ｓ−Ｍｅａｓｕｒｅ１を消去することで、ＵＥがすべての測定タスクを実行するという目的を達成することができる。
【０１０７】
ステップ６０５〜ステップ６０６：ＵＥは、ｓ−Ｍｅａｓｕｒｅ及びｓ−Ｍｅａｓｕｒｅ１に応じて関連測定を実行し又は測定を実行しない。
【０１０８】
ＵＥが測定タスク２においてＣＳＧセル又はＨｙｂｒｉｄセルの測定を実行し、ＣＳＧセルＣ１が測定タスク２においてＢ２のトリガ条件を満たすと判断した場合、ＵＥは、セルＣ１を含む測定結果をネットワーク側に報告する。
【０１０９】
ステップ６０７〜ステップ６１０：ネットワーク側は、ＵＥの測定レポートを受信した後、ハンドオーバーを実行することを決定し、ハンドオーバー準備プロセスを完了した後、ＵＥにハンドオーバーコマンドを送信する。同時に、ネットワーク側は、ｓ−Ｍｅａｓｕｒｅ１の設定を取り消す。ＵＥは、ハンドオーバーを実行することを受信し、ｓ−Ｍｅａｓｕｒｅ１を取り消す。
【０１１０】
本ステップにおいて、ネットワーク側がハンドオーバーしないと決定した場合、いかなる動作も行わない。ある時間が経過した後、ＵＥがフットプリントエリア又はフィンガープリントエリアから離れて、そして離脱通知を報告した後、ネットワーク側は測定タスク２を消去する。
【０１１１】
第４実施形態
図７は本発明に係るセル測定の開始方法の第４実施形態のフローチャートである。図７では、以下の場合が想定される。ＵＥはＥＵＴＲＡＮシステムにおいて接続状態であり、ＵＥが位置するサービングセルの搬送波周波数はｆ１である。現在ネットワーク側がＵＥに送信する測定制御メッセージは、ｓ−Ｍｅａｓｕｒｅ、測定タスク１を含む。測定タスク１は、ＥＵＴＲＡＮ隣接セルの信号品質がサービングセルの信号品質よりも良いことを示すトリガイベント（Ａ３）である。サービングＲＳＲＰが常にｓ−Ｍｅａｓｕｒｅより高いため、ＵＥは当該測定タスク１の測定を実行しない。図７に示すように、この方法は、以下のステップを含む。
【０１１２】
ステップ７００〜ステップ７０１：ＵＥはフットプリントエリア又はフィンガープリントエリアに近づき、測定タスク１のイベントＡ３の測定を自動的に開始する。ＵＥは、ＨｙｂｒｉｄセルＣ４が測定タスク１においてＡ３のトリガ条件を満たすと判断した場合、セルＣ４を含む測定結果をネットワーク側に報告する。
【０１１３】
本ステップにおいて、測定範囲は、例えば、ＵＥ自身によって記憶された履歴情報におけるＣＳＧセル及び／又はＨｙｂｒｉｄセルの搬送波周波数等の、ある搬送波周波数範囲内に限定されてもよい。
【０１１４】
ステップ７０３〜ステップ７０５：ネットワーク側はＵＥの測定レポートを受信した後、ハンドオーバーを実行することを決定し、ハンドオーバー準備プロセスを完了した後、ＵＥにハンドオーバーコマンドを送信する。ＵＥはハンドオーバーコマンドを受信した後、ＵＥは通常の測定プロセスに戻る。
【０１１５】
ネットワーク側がハンドオーバーしないと決定した場合、いかなる動作も行わない。ある時間が経過した後、ＵＥはフットプリントエリア又はフィンガープリントエリアから離れて、ＵＥは通常の測定プロセスに自動的に復帰する。あるいは、ＵＥは、自身のフットプリントエリア又はフィンガープリントエリアに進み、既存の方法に従って測定を行う。
【０１１６】
ここで、上記に係る家庭用基地局は、ＨＮＢ又はＨｅＮＢで表されてもよい。ＨＮＢで表す場合、３Ｇシステムの家庭用基地局を表し、ＨｅＮＢで表す場合、ＬＴＥシステムの家庭用基地局を表す。
【０１１７】
以上は、本発明の好適な実施例に過ぎず、本発明を制限するものではない。本分野の当業者は、本発明に基づく各種の変更と変形が可能である。本発明の主旨精神と原則を逸脱しない限り、いかなる修正、均等な置換、改良等も、本発明の保護範囲以内に含まれるべきである。
【図１】
2013502763.tif 000003
【図２】
2013502763.tif 000004
【図３】
2013502763.tif 000005
【図４】
2013502763.tif 000006
【図５】
2013502763.tif 000007
【図６】
2013502763.tif 000008
【図７】
2013502763.tif 000009
【国際調査報告】
2013502763.tif 000010
2013502763.tif 000011
2013502763.tif 000012
2013502763.tif 000013